(57)【要約】【課題】記録状態検出部などの装置を用いずに、受信データを失わない機能を実現する。【解決手段】ファクシミリ通信によりデータを受信するデータ受信手段と、受信データから画像を形成する画像形成手段と、形成した画像を紙媒体に記録する画像出力手段とを有する通信装置において、該受信データを蓄積するデータ蓄積手段と、該紙媒体に片面出力するか両面出力するかを判定する判定手段とを有し、前記判定手段により両面出力すると判定した場合は、前記データ蓄積手段において蓄積した受信データを保持するデータ保持手段を有する。【選択図】　　　　図１
2004048505.tif 000002
【特許請求の範囲】
【請求項１】
ファクシミリ通信によりデータを受信するデータ受信手段と、
受信データから画像を形成する画像形成手段と、
形成した画像を紙媒体に記録する画像出力手段とを有する通信装置において、
該受信データを蓄積するデータ蓄積手段と、
該紙媒体に片面出力するか両面出力するかを判定する判定手段とを有し、
前記判定手段により両面出力すると判定した場合は、前記データ蓄積手段において蓄積した受信データを保持するデータ保持手段を有することを特徴とする通信装置。
【請求項２】
前記データ蓄積手段を有効または無効とする制御手段と、
前記保持手段により保持する受信データの保持時間を設定する保持時間設定手段とを有し、
前記保持時間設定手段により設定した保持時間を超過したデータは、消去することによりデータ蓄積量を制御するデータ蓄積量制御手段を特徴とする請求項１記載の通信装置。
【請求項３】
前記データ蓄積手段を有効または無効とする制御手段と、
前記保持手段により保持する受信データの保持時間を設定する保持時間設定手段とを有し、
前記保持時間設定手段により設定した保持時間を超過したデータは、前記画像出力手段により片面出力をして前記データを消去することによりデータ蓄積量を制御するデータ蓄積量制御手段を有することを特徴とする請求項１記載の通信装置。
【請求項４】
前記データ蓄積手段により蓄積するデータ量の上限を設定する手段を有し、
データ蓄積量が上限を超えた場合は、出力せずに蓄積データを消去することによりデータ蓄積量を制御するデータ蓄積量制御手段を有することを特徴とする請求項１から３のいずれか１項に記載の通信装置。
【請求項５】
前記データ蓄積手段により蓄積するデータ量の上限を設定する手段を有し、
データ蓄積量が上限を超えた場合は、前記画像出力手段により片面出力を行い、蓄積データを消去することによりデータ蓄積量を制御するデータ蓄積量制御手段を有することを特徴とする請求項１から３のいずれか１項に記載の通信装置。
【発明の詳細な説明】
【０００１】
【発明の属する技術分野】
本発明は、ファクシミリ機能を有する通信装置に関する。
【０００２】
【従来の技術】
ファクシミリ機能を有する通信装置において、紙資源の有効活用を目的として、片面しか使用していない記録紙を装置の記録紙ユニットにセットしている場合がある。前記通信装置が両面印刷機能を有する場合、両面印刷の際に、記録紙の片面が記録済みであっても、受信データを印字する機能に関して、例えば特開２００１−９４７６３号広報の「ファクシミリ装置」では、両面記録モードを設定している場合に、記録しようとする記録紙の片面が既に記録済みであっても、その記録紙に受信した画像データを記録することができる技術が開示されている。また、特開平８−９７９４８号公報の「画像形成装置」では、片面が記録済みの記録し充填に係る充填ミスに有効に対応できる技術が開示されている。
【０００３】
【発明が解決しようとする課題】
両面印刷可能なファクシミリ装置において、記録紙に受信データの両面印刷を行った場合、印刷済みの面に記録された情報を失うことになってしまう。コピー、プリンタの場合は、ユーザが再出力することが可能であるのに対し、受信データは通常、再出力ができない。そこで、特開２００１−９４７６３号公報や特開平８−９７９４８号公報に記載の発明では、片面記録済みであることを記録状態検出部で検出し、その結果に応じて処理を行っている。
【０００４】
本発明では、記録状態検出部などの装置を用いずに、受信データを失わない機能を実現することを目的とする。
【０００５】
また、受信データを片面記録済みの記録紙に記録してしまった場合でも、情報を失うことなく、再出力可能とすることを目的とする。
【０００６】
また、メモリに蓄積する機能をＯＮ／ＯＦＦすることを目的とする。また、受信データ保持時間も、ユーザー設定可能とする。
【０００７】
また、コピー、ファクシミリ、プリンタ機能を有する複合機においては、請求項２のようにメモリ解放時間を設定していても、大量のデータを受信してメモリ不足がおきた場合、コピー、プリンタ機能に支障をきたす場合がある。本発明は、前述のように不具合が起きる可能性がある場合に、自動的にメモリを解放し、他の機能に影響を及ぼさないようにすることを目的とする。
【０００８】
【課題を解決するための手段】
かかる目的を達成するために、請求項１記載の発明は、ファクシミリ通信によりデータを受信するデータ受信手段と、受信データから画像を形成する画像形成手段と、形成した画像を紙媒体に記録する画像出力手段とを有する通信装置において、該受信データを蓄積するデータ蓄積手段と、該紙媒体に片面出力するか両面出力するかを判定する判定手段とを有し、前記判定手段により両面出力すると判定した場合は、前記データ蓄積手段において蓄積した受信データを保持するデータ保持手段を有することを特徴としている。
【０００９】
請求項２記載の発明は、請求項１記載の発明において、前記データ蓄積手段を有効または無効とする制御手段と、前記保持手段により保持する受信データの保持時間を設定する保持時間設定手段とを有し、前記保持時間設定手段により設定した保持時間を超過したデータは、消去することによりデータ蓄積量を制御するデータ蓄積量制御手段を特徴としている。
【００１０】
請求項３記載の発明は、請求項１記載の発明において、前記データ蓄積手段を有効または無効とする制御手段と、前記保持手段により保持する受信データの保持時間を設定する保持時間設定手段とを有し、前記保持時間設定手段により設定した保持時間を超過したデータは、前記画像出力手段により片面出力をして前記データを消去することによりデータ蓄積量を制御するデータ蓄積量制御手段を有することを特徴としている。
【００１１】
請求項４記載の発明は、請求項１から３のいずれか１項に記載の発明において、前記データ蓄積手段により蓄積するデータ量の上限を設定する手段を有し、データ蓄積量が上限を超えた場合は、出力せずに蓄積データを消去することによりデータ蓄積量を制御するデータ蓄積量制御手段を有することを特徴としている。
【００１２】
請求項５記載の発明は、請求項１から３のいずれか１項に記載の発明において、前記データ蓄積手段により蓄積するデータ量の上限を設定する手段を有し、データ蓄積量が上限を超えた場合は、前記画像出力手段により片面出力を行い、蓄積データを消去することによりデータ蓄積量を制御するデータ蓄積量制御手段を有することを特徴としている。
【００１３】
【発明の実施の形態】
以下、本発明の実施の形態を添付図面を参照しながら詳細に説明する。
【００１４】
図１は、本発明における通信装置の第１の実施例を示すブロック図である。図１は、ファクシミリシステム１と、受信データを蓄積する大容量メモリ２と、両面出力をするか否かを判別するソフト的もしくはハード的な両面機能選択スイッチ３とを有し構成されている。
【００１５】
図２は、本発明における通信装置の第１の実施例の処理手順を示すフローチャートである。両面機能選択スイッチ３にて両面出力を指定されていた場合は（ステップＳ２２でＹｅｓ）、受信データをメモリ２に蓄積し（ステップＳ２３）、両面出力ではない場合（ステップＳ２１）、メモリ受信であれば（ステップＳ２６でＹｅｓ）、受信データをメモリ２に蓄積し（ステップＳ２３）、両面出力を開始する（ステップＳ２４）。片面出力の場合は（ステップＳ２５でＮｏ）、受信データを消去し（ステップＳ２７）、処理を終了させる。通常、ファクシミリ装置では、デフォルトの設定では受信データは出力完了と同時に消去されるが、本システムにおいては、出力が両面印刷であった場合には、受信データを蓄積しておく。片面出力、受信データ以外の場合は出力データは残さない。
【００１６】
メモリ２に蓄積されたデータをユーザーが出力した場合は、そのデータを自動的に消去しても良いし、ユーザーに確認を求め、消去の指示があったことを確認した後、そのデータを消去しても良い。
【００１７】
図３は、本発明における通信装置の第２の実施例を示すブロック図である。図３は、ファクシミリシステム１と、受信データを蓄積する大容量メモリ２と、両面出力をするか否かを判別するソフト的もしくはハード的な両面機能選択スイッチ３と、データ蓄積機能をＯＮ／ＯＦＦする両面出力時データ蓄積機能選択スイッチ４と、データ保持期間を設定しておく蓄積データ保持時間設定ＲＡＭ５とを有し構成する。
【００１８】
図４は、本発明における通信装置の第２の実施例の処理手順を示すフローチャートである。データ受信を開始し（ステップＳ４１）、両面出力（ステップＳ４２でＹｅｓ）、またはメモリ受信であれば（ステップＳ４７でＹｅｓ）受信データを蓄積し（ステップＳ４３）、受信データの印字を開始する（ステップＳ４４）。両面出力でない場合（ステップＳ４５でＮｏ）またはデータ蓄積機能がＯＦＦの場合（ステップＳ４６でＮｏ）は、受信データを消去して（ステップＳ４８）処理を終了する。蓄積データ保持時間設定ＲＡＭ５に設定されている時間、例えば２４時間を経過したら、そのデータは問題なく両面出力されたものとし、単にメモリ２から消去するか、強制的に片面出力した後、メモリ２から消去する。この形態もユーザー設定であることが望ましい。図５は、出力せずに蓄積データを消去する際の処理手順を示すフローチャートである。まず、データ蓄積時間を調査し（ステップＳ５１）、設定時間を超えているデータがあれば（ステップＳ５２でＹｅｓ）、該当データを消去し（ステップＳ５３）、処理を終了する。図６は、強制的に片面出力後、蓄積データを消去する際の処理手順を示すフローチャートである。まず、データ蓄積時間を調査し（ステップＳ６１）、設定時間を超えているデータがあれば（ステップＳ６２でＹｅｓ）、該当データを強制片面出力をし（ステップＳ６３）、該当データを消去し（ステップＳ６４）、処理を終了する。
【００１９】
図７は、本発明における通信装置の第３の実施例を示すブロック図である。図７は、ファクシミリシステム１と、受信データを蓄積する大容量メモリ２と、両面出力をするか否かを判別するソフト的もしくはハード的な両面機能選択スイッチ３と、データ蓄積機能をＯＮ／ＯＦＦする両面出力時データ蓄積機能選択スイッチ４と、データ保持期間を設定しておく蓄積データ保持時間設定ＲＡＭ５と、蓄積データ量の閾値を設定する最大蓄積データ量設定ＲＡＭ６である。
【００２０】
図８は、データ蓄積量が上限を超えている時に片面出力をしてデータを消去する際の処理手順を示すフローチャートであり、図９は、データ蓄積量が上限を超えている時にデータを消去する処理手順を示すフローチャートである。まず、メモリ２に蓄積しているデータ量をチェックする（ステップＳ８１）蓄積量が設定してある閾値を越した場合（ステップＳ８２でＹｅｓ）、該当データをメモリ２内の古いデータから順に、消去する（ステップＳ８３）、図９の処理では強制的に片面出力した後（ステップＳ９３）、消去する（ステップＳ９４）。この形態もユーザー設定であることが望ましい。
【００２１】
【発明の効果】
以上の説明から明らかなように、本発明によれば、片面記録済みの記録紙に両面出力をしている場合、ユーザーはメモリ２に蓄積されている受信データから必要なデータを再出力することが可能となり、受信データが失われることが無くなる。
【００２２】
また、常に両面出力することを意図して、両面使用可能な記録紙をセットしているユーザーにとって、メモリを無駄に消費することが無くなり、また、受信データ保持時間を設定可能とすることにより、適時、メモリを解放することが可能となる。
【００２３】
また、請求項１の機能により、メモリ２が消費されても、本発明の制御によりメモリが解放されるため、複合機において他の機能に影響が出ないようになる。
【図面の簡単な説明】
【図１】本発明における通信装置の第１の実施例を示すブロック図である。
【図２】本発明における通信装置の第１の実施例の処理手順を示すフローチャートである。
【図３】本発明における通信装置の第２の実施例を示すブロック図である。
【図４】本発明における通信装置の第２の実施例の処理手順を示すフローチャートである。
【図５】出力せずに蓄積データを消去する際の処理手順を示すフローチャートである。
【図６】強制的に片面出力後、蓄積データを消去する際の処理手順を示すフローチャートである。
【図７】本発明における通信装置の第３の実施例を示すブロック図である。
【図８】データ蓄積量が上限を超えている時に片面出力をしてデータを消去する際の処理手順を示すフローチャートである。
【図９】データ蓄積量が上限を超えている時にデータを消去する処理手順を示すフローチャートである。
【符号の説明】
１　ファクシミリシステム
２　メモリ
３　両面機能選択スイッチ
４　両面出力時データ蓄積機能選択スイッチ
５　蓄積データ保持時間設定ＲＡＭ
６　最大蓄積データ量設定ＲＡＭ
【図１】
2004048505.tif 000003
【図２】
2004048505.tif 000004
【図３】
2004048505.tif 000005
【図４】
2004048505.tif 000006
【図５】
2004048505.tif 000007
【図６】
2004048505.tif 000008
【図７】
2004048505.tif 000009
【図８】
2004048505.tif 000010
【図９】
2004048505.tif 000011